(57)【要約】      （修正有）【課題】釣り浮きを中空円筒管内部の色調が変化することにより、魚信を細やかに把握することができ、また、浮きを釣り糸に接合することが、簡単にできるようにする。【解決手段】水面下に釣り浮きが引き込まれることに、浮き浮力維持本体１００が抵抗するようにし、魚信や釣りえさ落ちの見極めは、浮き内管４が浮き外管３の内側を可動し内管４の目盛４ｂが外管３のライン目盛３ｂとの隙間をスライドすることにより、色調変化が生じる、また、外管３の最上部にえさ落ちゲ−ジ１を構成し、内管４の内管トップ４ｈはゲ−ジ１の目盛１ｂを釣りえさの重さにより、上下し水面下の釣りえさ状態を知らせる、また、浮き下軸１０３に釣り糸止めホルダ−１０５を設け、釣り糸止めゴム部１０７により、釣り糸を固定する。【選択図】図３
2005237264.tif 000002
【特許請求の範囲】
【請求項１】
均等に不透明のラインを配置した、透明な中空円筒状の第１の浮きの本体内部に均等に色付けされた不透明な第２の浮きが、水面下まで貫通された開口により、釣り糸と結ばれており、第１の浮きに比べて浮力の少ない第２の浮きが、浮力を有する第１の浮き中央部に形成されたスプリング上部に維持されており、第１の浮き内側を第２の浮きが、魚信により、早く可動することにより、第１の浮きの本体外側の不透明のラインと、第２の浮きとの目盛と色の配列がスライドし、変化することにより、各種の情報を知らせる、第２の浮きの高さ調整を備えた、釣り用浮き。
【請求項２】
浮きを、前記の第１の浮きの内側に第２の浮きを挿入することにより、第１の浮きの最上部に形成された、釣りえさ落ちゲ−ジが、第２の浮き中央部に形成されたスプリングと第２の浮きの空気による浮力と高さを調整できるネジ部により、第２の浮きの高さが釣りえさの重みの変化で上下に可動し、釣りえ落ちゲ−ジの目盛と色の配列を、第２の浮き内管が遮断することにより、釣りえさ落ちが識別できることを特徴とする、請求項１項に記載の釣り用浮き。
【請求項３】
第２の浮き最下部軸に、釣り糸が挿入出来る切れ込みを軸中心部まで形成し、釣り糸挿入後に、釣り糸止め上部に設けられた、釣り糸止めホルダ−と釣り糸止め横ピンが釣り糸止めホルダ−ネジを回すことにより下に下がり、釣り糸を固定し浮きを止める、浮き止めを備えた、請求項１に記載の釣り用浮き。
【発明の詳細な説明】
【技術分野】
【０００１】
本発明は、釣り用浮きに関する。
【背景技術】
【０００２】
従来の浮きには、２重構造の浮きがある。（例えば特許文献１参照）
同じく、２重構造の浮きがある。（例えば特許文献２参照）
また、スプリングとマグネットを利用した浮きがある。（例えば特許文献３参照）
また、水と発光体を利用した浮きがある。（例えば特許文献４参照）
また、浮き止めには、外周補強材を利用した浮き止めがある。（例えば特許文献５参照）
また、ゴム止め筒を利用した浮き止めがある。（例えば特許文献６参照）
【特許文献１】特開昭   ５９−９５８４０
【特許文献２】特開平   ０４−２３４９３３
【特許文献３】特開平   ０７−３２２７９７
【特許文献４】特開     ２０００−０８３５４１
【特許文献５】特開     ２０００−１３９３０７
【特許文献６】特開平   ０６−２９２４９３
【発明の開示】
【発明が解決しようとする課題】
【０００３】
従来の浮きは、水面上に出ている浮きの目盛と色の配列が魚信により、水面下に没し、また、釣りえさの減少により、上に上がる、浮きの動きを水面と浮きとの接点で見極め判断していたが微妙な動きは解りにくかった、波や風の影響を受けやすく波の立つ日は上下運動が、魚信なのか波や風によるものか見極めにくい問題点があった。
【０００４】
また、背景色の違い水面の色調などにより浮きを何本か用意する必要があり、その都度に浮きの浮力に合った釣り仕掛けのおもりを調整し交換しなければならない不便さが生じていた、主に円盤型おもりや亀型おもりなどを使用しているが任意の浮きの高さを得るために微調整用に板おもりが使用されています、板おもりは切断が安易に出来るために少し重すぎた時に切取られ多くは捨てられており、鉛害による環境への影響が釣り場での問題点でもあった。       
【０００５】
釣りえさの減少と、えさ落ちを判断するには水面から出ている浮きの目盛と色の配列がえさの重みが減少することにより、水面より上に上がりえさ落ちを知らせたが波や風の影響を受け、分かりにくい問題点があった。
【０００６】
釣りの仕掛けもゴム管の入れ忘れや、ゴム管の風化よる破損で浮きが流されるなど１度作った釣り仕掛けは後からゴム管の挿入は困難であり、ほとんど釣り糸を切断しなくては浮きと釣り糸が接合されない不利があり、釣り場での釣り仕掛けの作り直しによる釣り糸紛失と、釣りおもりの鉛紛失が釣り場の環境にあたえる問題点があった。
【０００７】
また、ゴム管による浮きと釣り糸の接合は、浮きを水面に投入した時や、魚の引き込みなどにより、設定した浮きの位置が変わることが多く見られ、適切な釣りの仕掛けがずれるので、水面下の釣りえさの高さの変化を招き、魚が多く集まる位置と釣りえさの位置が異なる問題が生じていた。
【課題を解決するための手段】
【０００８】
請求項１に記載の発明は、浮きを第１の浮きと、第２の浮きに分離し第2の浮きが第１の浮き内部を上下に自在に可動することにより、魚信や釣りえさ落ちが判断しやすい浮きで、第１の浮きは浮力を形成し、浮力を維持する第１の浮きの浮力の維持は円錐形に形成されており、第１の浮きの最下部に設けられた浮力を制御する専用の錘により水面と同じ高さを常に維持出来るように構成され、水面より上に露出している第１の浮きの見える部分は透明な合成樹脂に均等に不透明のラインを付けた中空円筒管内部に第２の浮きが内蔵されており、第２の浮きが第１の浮きの中空円筒管内部を可動し、第１の浮きの不透明のライン内側を上下に可動する第２浮きの目盛と色の配列が変化し各種の情を知らせることができる。
【０００９】
また本発明は、第２の浮きに均等に色分けされた不透明な中空円筒管とスプリング及び第２の浮き高さ調整用ネジ部で形成されており、浮き高さ調整用ネジを回すことより、浮きの高さを調整し任意の高さを維持するので、各種の情報を詳細に知ることができる。
【００１０】
また本発明は、第１の浮きの内部に形成された第２の浮きが釣り糸と結ばれており第１の浮きの中空円筒管の不透明なラインの内側を魚信により、上下に可動する第２の浮きが第１の浮きより早く可動することにより、第１の浮きの不透明なライン以外の透視できる透明な部分から見える、第２の浮きの中空円筒管との目盛と色調が変化するので、魚信や釣りえさ落ちを判断することができる。
【００１１】
請求項２に記載の発明は、釣りえさの減少や釣りえさ落ち時に、第１の浮きの最上部に形成された釣りえさ落ちゲ−ジの目盛と色調が、第２の浮き中空円筒管により、見え隠れするように構成されており、第２の浮きの空気による浮力とスプリング及び、高さ調整ネジの働きにより、任意の浮き高さを維持できるように構成されており、釣りえさが有る時はえさの重力で、下に下がりえさの減少やえさ落ちの時にえさの重みが無くなるので、浮力の負荷が減少し不透明な第２の浮き中空円筒管が上に上がり釣りえさ落ちゲ−ジの目盛と色の配列を第２の浮き見えなくすることにより、釣りえさの減少や、釣りえさ落ちの時により正確に判断することができる。  
【００１２】
請求項３に記載の発明は、第２の浮きの最下部に形成された釣り糸と浮きを止める釣り糸止めホルダ−と釣り糸止めピンで構成されており、浮きの軸の中心部に釣り糸が挿入できる切れ込みを設け、釣り糸を軸中心まで挿入し、上部に設けられた浮き止めホルダ−に形成されたネジ溝と浮き軸に形成したネジ部により浮き止めホルダ−と、止めピンが糸挿入後にネジを回すことにより下に下がり釣り糸を押さえ、釣り糸と浮きを止めることができる。
【発明の効果】
【００１３】
本発明は、浮力を持つ円錐形の浮き中心部と２本の中空円筒管と、３本の軸から構成しているので、第１浮きの外管と第２の浮きの内管とに分離することにより、内管が外管と異なる動きをするので、浮きに描かれた目盛と色の配列が変化し、魚信を知らせる、波の立つ日や風の強い日にも浮きの色調変化で微細な魚信も識別でき、視力の低下などによる魚信の見落としなどにも対応できる効果がある。           
【００１４】
また、第１の浮きの外管と第２の浮きの内管を取り替えることができるため、内管の色調を分ける目盛の間隔を幅広な内管と取り替え、透明な第１の浮きの外管の不透明なラインの幅を大きめなラインに替えて、透視できる間隔を任意に変えられることにより、内管の目盛と色の配列の変化を見極めやすく、魚信をより正確に確認できる効果がある。                                                                                                                                                           
【００１５】
また、浮きの浮力を形成する浮き中心部と、第１の浮き第２の浮きのそれぞれの外管と内管の接合部はネジ溝とネジ部で形成されているので、釣り場の環境に合わせ好みの外管と内管と交換することにより、釣り場の天候変化などに、その都度浮きを交換しなくても釣り場の環境に対応できるので、釣りの仕掛け変更による、鉛や釣り糸の片付け忘れなどによる、放置が少なくなり、釣り場の自然環境を保つ効果がある。
【００１６】
また、内管の入れ替えが簡単にでき、釣り場の背景色の違いや天候の変化、朝方や夕方の明るさの変化による浮きの取替えなども、内管を入れ替えることにより、１度設定した釣り仕掛けを、そのまま使用することが可能なため、予備の仕掛けの数を減らすことができるので、経済性に関しても効果がある。
【００１７】
また、浮きに内蔵されたスプリングの取り替えも簡単にでき、魚の種類による浮きの取り替えも必要が無く、大型の魚や小型の魚に応じたスプリングの交換が可能であり、スプリングの反発力の調整も強さ調整ネジを設けているため、各種の魚類に対応が可能であり魚が釣りえさを食べる飲み込み強さの強弱にも対応できるので、１つの浮きで各種の魚釣に使用できる利点がある。
【００１８】
また、浮力を持つ大型の円錐形の浮きは、魚が釣りえさを何度か口に入れ飲み込もうとする時に、水面下に引き込まれることに抵抗するように形成されており、内管の感度を高める働きと、魚に針がかかりやすくなる効果を発揮する。
【００１９】
また、浮きの外管と内管は簡単に取り替えることができるので、何も描かれていない透明な外管と内管を用意することにより、使用者の好みの色調や目盛が描けるので釣り場の背景色や魚類に合わせ、使用者手作りの浮き製作を楽しむことができる。
【００２０】
請求項２に記載の発明は、釣りえさ落ちゲ−ジが第１の浮き最上部に形成されているので、内管に内蔵された空気とスプリングが、釣りえさの重力が減少することにより、重力の負荷がなくなり、内管が上に上がりゲ−ジの目盛と色調を遮蔽し釣りえさの減少と釣りえさが釣り針から落ちた時の判断が見きわめやすく水面下の釣りえさの状態を詳細に把握しやすい効果がある。
【００２１】
また、釣りえさ落ちゲ−ジは、ゲ−ジ中央部に雄ネジを形成し、浮きトップのネジ溝に挿入され、ネジとネジ溝を利用し、上下に自在に変動させることができるので、任意のゲ−ジ高さを調整し設定することにより、ゲ−ジを遮断している内管の高さとゲ−ジの目盛と色調が変わることにより、釣りえさの状態をさらに詳細に把握しやすい効果がある。
【００２２】
また、本発明の浮きを構成する部品と部品の接合は総てネジ溝とネジ部により形成されており、使用中の破損などにも浮き全体を取り替える必要がなく、破損した部品の交換をすることが容易にできるので、経済性に関しても効果がある。
【００２３】
請求３に記載の発明は、浮きの最下部軸に釣り糸止めホルダ−と糸止ピンが形成されているので、ゴム管の入れ忘れによる、釣りの仕掛け直しやゴム管の風化による浮きの流失を防止し釣り糸を切断しなくても、仕掛けを付けた状態であっても浮きの取り付けが可能であり、いつでも浮きと釣り糸が接合できる効果がある。
【発明を実施するための最良の形態】
【００２４】
以下、本発明の実施の形態を図１〜図１０に基づいて説明します。
【００２５】
図１は本発明による、釣り浮きの全体外観透視図であり、図３は浮き全体の断面図です浮力を有する円錐形の浮き１００の水面に接する円盤形の上部中心に中空円筒管の第１の浮き外管３は、外管固定用雄ネジとネジ溝８により維持され、外管３の内側に第２の浮き内管４が、高さ調整ホルダ−７の上端に雄ネジ部とネジ溝４ａにより支持され、外管３の内側に第２浮き内管４が移動可能に内蔵されている。
【００２６】
安定した浮力を有する、円錐形状の浮き１００は、下端に形成された浮力調整錘１０４により、水面１１１と上端が常に同じ高さで維持されように構成されており、円錐形の形状は、常に安定した垂直方向を保つよう形成され、上端の円盤形は水面張力により、円盤下側の水に接した面を引き寄せる力が発生するために、浮きのバランスを保ち易くする効
果がある。
【００２７】
外管３は透明な合成樹脂に均等に不透明な外管ライン目盛３ｂを配置し、内管４は均等に色付た不透明な合成樹脂で形成され、水面下まで貫通された浮き１００の開口により、釣り糸１１０と結ばれており、浮き１００に比べ浮力の少ない内管４がスプリング６と内管４の高さ調整ホルダ−７により、任意な高さを維持し浮き１００に固定された外管３の内側を内管４が魚信と釣りえさの状態により上下に自在に可動することにより、外管３と内管４と目盛４ｂと色の配列が変化することにより各種の情報を詳細に判断するこ
ができる。
【００２８】
また、前記外管３の不透明なライン３ｂ以外の透明な中空円筒管より見える内管４の可動について、図４の詳細断面図により説明すると、内管４は内管高さ調整ホルダ−７の上端のネジ部とネジ溝４ａの接合により支持されており、内管高さ調整ホルダ−７の下端部に高さ調整ネジ溝１０１を設け、図６と図７に示すように、浮き下軸１０３の内管高さ調整用ネジ１０３ａと接合されている、内管４は、内管に内蔵された空気による浮力を有しているが、小さな浮力のため、スプリング６の反発力により高さを維持している。
【００２９】
内管高さ調整ホルダ−７の外周にスプリング６が挿入され、内管の高さとスプリング６の反発力は浮き下軸１０３を回すことにより、強弱の調整ができるので、浮き下軸１０３を回しスプリングをスプリング受け台座１０２に曳きつけると、スプリングは収縮し反発力は強まり、反対にスプリングを緩めると反発力が弱まるので、下軸１０３を回すことにより、任意の内管高さと、魚の種類による、えさ引き感度も調整し設定できる。
【００３０】
また、内管４の筒上部は空気を逃さぬように内管キャップ４ｃにより密閉され、内管筒下端部は開放されている、浮きを水面に投入後内管４は釣りえさの重みで下にさがり、スプリング台座１０２ｄの上に止まる、重い釣りえさの時は内管４をスプリング６の反発力で支えているが釣りえさが減少すると内管４は釣りえさの重みが無くなり浮力の負荷が少なるので、上に上がり釣りえさ落ちゲ−ジの目盛と色調１ｂを内管４により、遮断するので、水面下の釣りえさの状態を詳細に把握することができる。
【００３１】
浮き下軸１０３は釣り糸１１０と結ばれており、魚信により内管４が外管３の内側を可動し、外管３の透明な部分から見える内管４の目盛４ｂが上下に可動することにより明確に魚信を判断できる効果がある、例えば内管４の色彩が黄色から青に、赤から白に瞬時に変わることにより、浮きと水面との接点での見極めでなく、水面上の外管３の透視できる部分から見た、内管４の目盛と色の配列が変わることで魚信をより明確に判断できる。
【００３２】
また、図３と図４図に示すように、第１の浮き外管３の最上部に浮きトップ２を構成し浮きトップ２は中心に上下に貫通したネジ溝を形成しており、えさ落ちゲ−ジ１が挿入されゲ−ジ１の軸の中央部に雄ネジ１ａにより、使用者好みの目盛と色彩を設定し、任意のゲ−ジ１の高さを調整し、内管４との間隔を調整することにより、釣りえさの状態を把握できる効果がある。
【００３３】
前記えさ落ちゲ−ジ１は、不透明な内管４の中空円筒管内に下端部が入るように形成し不透明な内管４は、えさ落ちゲ−ジ１の目盛と色調を遮断し、また任意の高さが設定できる、図１０で詳細に説明しますと、図左側（Ｓ）図は、釣りえさの有る通常の状態を示し図中央の（Ｇ）図は、魚が釣りえさを飲み込み移動する瞬間の図です、図右側の（Ｆ）図は、釣りえさの無い状態を示しており、内管４の最上部内管４のトップ４ｈが、上下に可動する図です。
【００３４】
前記、内管４は管内部に有る空気により釣りえさの負荷が無くなると上に上がるよう構成されていますが、釣りえさの無い時に浮きが上に上がるのは、従来の浮きと変わりなく思えますが、本発明では、第１の浮き外管３の最上部に浮きトップ２と、えさ落ちゲ−ジ１を形成しており、使用者の好みの大きさに釣りえさを付け、浮きを水面下に投入後に内管４は、釣りえさ重さにより、図１０の（Ｓ）に示すように、１度は下に下がり、魚信を待つ間に釣りえさの減少や、えさ落ち時にスプリング６の反発力と内管４の管内の空気による浮力により、上に上がり、内管４はゲ−ジ１の目盛と色調を遮断し浮きが遠くに有る時も水面下の釣りえさの状態をより明確に把握する効果を発揮する。
【００３５】
図８は釣り糸止めの詳細図です、図８に基づき説明します、浮き下軸１０３に雄ネジを形成し、ネジ上部に、中空円筒管にネジ溝１０５ａ構成した、釣り糸止めホルダ−１０５を設け浮き下軸１０３に軸中心部まで、釣り糸が挿入できる切れ込み１０９を形成し、釣り糸挿入後に、釣り糸止めゴム部１０７と釣り糸止めピン１０６が、釣り糸止めホルダ−１０５のネジを回すことにより、釣り糸止めゴム部１０７は下に下がり、釣り糸止めゴム部１０７は釣り糸１１０を強く押さえる、また、釣り糸の固定部１０８に山型と半円の窪みを形成し、釣り糸を横に引く力に抵抗し、浮きが釣り糸からスライドせず、１度固定された位置を堅持するので、浮きと浮き下の仕掛けの間隔を常に保つ効果がある。
【００３６】
前記により、浮きに、あらかじめ付属した釣り糸止めを構成することにより、ゴム管の入れ忘れによる、釣り糸の切断や仕掛け直しの時間と経費の削減に効果を発揮する。
【図面の簡単な説明】
【００３７】
【図１】本発明に係る釣り用浮きの全体透視図です。
【図２】本発明に係る釣り用浮きの断面方向図です。
【図３】本発明に係る釣り用浮きの全体断面図です。
【図４】本発明に係る図２におけるＡ−ＡＡとＣ−ＣＣ線詳細断面図です。
【図５】本発明に係る浮きの図２おける上から見たＢ−ＢＢ線断面図です。
【図６】本発明に係る浮きの図２おける内管ネジ込み部Ｃ−ＣＣ線部材断面図です。
【図７】本発明に係る浮きの下軸ネジ部断面図です。
【図８】本発明に係る浮きの図２おける糸止めホルダ−と釣り糸止めＤ−ＤＤ線詳細断面図です。
【図９】本発明に係る浮きの図２おける釣り糸止め横ピン、釣り糸止めゴム部  釣り糸挿入口、釣り糸固定前と固定時のＥ−ＥＥ線詳細断面です。
【図１０】本発明に係わる釣り用浮きの外管目盛と、釣りえさ落ちゲ−ジの  内管可動時における、目盛のスライドと色調の変化を示す詳細断面図です。
【符号の説明】
【００３８】
１          釣りえさ落ちゲ−ジ
１ａ        釣りえさ落ちゲ−ジのネジ溝部
１ｂ        釣りえさ落ちゲ−ジの目盛
２          浮き外管トップ
３          浮き外管
３ｂ        外管ライン目盛
４          浮き内管
４ａ        浮き内管ネジ溝部
４ｂ        浮き内管目盛
４ｃ        内管の空気遮断キャップ
４ｈ        内管トップ
５          内管固定用ネジ台座
６          スプリング
７          内管高さ調整用ホルダ−
８          外管固定用雄ネジとネジ溝部
１００      浮き浮力維持本体
１０１      内管高さ調整ネジ溝部
１０２      スプリング受け下台座
１０２ｄ    スプリング受け上台座
１０３      浮き下軸
１０３ａ    内管高さ調整用雄ネジ部
１０４      浮力調整錘
１０４ａ    浮力調整用錘接合用ネジ溝部
１０５      釣り糸止めホルダ−
１０５ａ    釣り糸止めホルダ−のネジ溝部
１０６      釣り糸止めピン
１０７      釣り糸止めゴム部
１０８      釣り糸の固定部
１０９      釣り糸挿入口
１１０      釣り糸
１１１      水面
【図１】
2005237264.tif 000003
【図２】
2005237264.tif 000004
【図３】
2005237264.tif 000005
【図４】
2005237264.tif 000006
【図５】
2005237264.tif 000007
【図６】
2005237264.tif 000008
【図７】
2005237264.tif 000009
【図８】
2005237264.tif 000010
【図９】
2005237264.tif 000011
【図１０】
2005237264.tif 000012